(57)【要約】【課題】測定機器１０の単一のビデオ入力ポート１１に供給されたビデオ入力信号がアナログかデジタルかを判断して、アナログ・ビデオ入力経路１３又はデジタル・ビデオ入力経路１５を選択する。【解決手段】アナログ・ビデオ入力経路１３及びデジタル・ビデオ入力経路１５の入力端は、入力ポート１１に共通接続される。判断モジュール２４は、デジタル・ビデオ入力経路１５からの信号に応じて、ポート１１のビデオ信号がアナログか、デジタル化を判断する。この判断結果に基づいて、ビデオ・スイッチ１４が、アナログ・ビデオ入力経路又はデジタル・ビデオ入力経路を選択する。【選択図】　　　　図１
2004007573.tif 000002
【特許請求の範囲】
【請求項１】
共通ビデオ入力ポートを、独立の出力端を有するアナログ・ビデオ入力経路の入力端と、独立の出力端を有するデジタル・ビデオ入力経路の入力端とに結合する手段と、
上記デジタル・ビデオ入力経路から得た情報に応答して上記独立の出力端の間で自動的に切替を行って、上記共通ビデオ入力ポートに供給されたビデオ信号のビデオ・フォーマットに対応する出力ビデオ信号を供給する手段と
を具えたビデオ測定機器。
【請求項２】
ビデオ測定機器におけるアナログ・ビデオ入力経路及びデジタル・ビデオ入力経路の間で自動的に切替を行う方法であって、
上記アナログ・ビデオ入力経路の入力端をビデオ入力ポートに結合し、
上記デジタル・ビデオ入力経路の入力端を上記ビデオ入力ポートに結合し、
ビデオ・スイッチの入力端を上記アナログ・ビデオ入力経路及び上記デジタル・ビデオ入力経路の出力端に夫々結合し、
上記デジタル・ビデオ入力経路から得た情報に応じて、上記ビデオ・スイッチ用の選択信号を発生して、どのビデオ入力経路を上記ビデオ・スイッチの出力端に結合するかを選択して、上記ビデオ測定機器により更に処理を行う
ことを特徴とする自動ビデオ切替方法。
【請求項３】
測定機器の入力ポートに供給されたビデオ信号を処理する装置であって、
入力ポートに結合された入力端と、出力端とを有し、アナログ・ビデオ入力経路を形成するアナログ・ビデオ・バッファと、
上記入力ポートに結合された入力端と、出力端とを有し、デジタル・ビデオ入力経路を形成するデジタル・ビデオ受信器と、
上記アナログ・ビデオ入力経路及び上記デジタル・ビデオ入力経路の夫々の出力端に結合された入力端を有するビデオ・スイッチと、
上記デジタル・ビデオ受信器から情報を受ける入力端と、上記ビデオ・スイッチの選択入力端に結合された出力端とを有し、該出力端に上記情報に応じて選択信号を発生して、上記ビデオ・スイッチの出力端にどのビデオ入力経路の出力を供給するかを選択する判断モジュールと
を具えた処理装置。
【発明の詳細な説明】
【０００１】
【発明の属する技術分野】
本発明は、一般に、ビデオ測定機器に関し、特に、アナログ・ビデオ信号又はシリアル・デジタル・ビデオ信号のいずれかを受信する単一の入力端を有し、スイッチ内部を自動的に処理できるビデオ測定機器、自動ビデオ切替方法及び処理装置に関する。
【０００２】
【従来の技術】
アナログ・ビデオ環境からデジタル・ビデオ環境への現在の移行過程では、多くのビデオ・スタジオが、これらアナログ及びデジタルの混合環境で動作している。すなわち、アナログ・ビデオ・ソース（信号源）及びシリアル・デジタル・ビデオ・ソースの両方を利用可能である。これらのソースからのビデオ信号の品質を観察するために、ユーザは、どちらの形式のソースが試験／測定されるのかを知って、適切な測定機器を用いなければならない。従来、ユーザは、少なくとも２個の測定機器が必要であり、この内、１個は、アナログ・ビデオ用であり、別の１個は、デジタル・ビデオ用である。この代わりに、一方のソースの信号形式を、測定機器が受け入れ可能な信号形式に変換する変換器を具えた単一の測定機器をユーザが用いることもある。現在、アナログ・ビデオ信号及びデジタル・ビデオ信号の両方に利用可能な波形モニタも提案されている。しかし、これら測定機器は、別々のアナログ及びデジタルの入力ポート（入力端子）を具えている。これら測定機器によっても、ビデオ・ソースからのビデオ信号を適切なビデオ・入力ポートに供給するために、ユーザは、測定するビデオ・ソースの形式を知らなければならなかった。携帯測定機器の限られたパネル面積では、２個の異なるビデオ入力ポートを設けることは、実際的ではない。
【０００３】
【非特許文献１】
本願出願人のテクトロニクス社が発行した２００１年版総合カタログ「Ｔｅｓｔ，　Ｍｅａｓｕｒｅｍｅｎｔ　ａｎｄ　Ｍｏｎｉｔｏｒｉｎｇ　Ｐｒｏｄｕｃｔｓ　Ｃａｔａｌｏｇ　２００１」の第５９１ページ〜第６１０ページ
【０００４】
【発明が解決しようとする課題】
そこで、単一のビデオ入力ポートを有する測定機器であって、アナログ・ビデオ信号又はシリアル・デジタル・ビデオ信号の何れも受け入れることが可能で、測定機器内のアナログ・ビデオ入力経路及びデジタル・ビデオ入力経路のビデオを自動的に切り替えることが望まれている。
【０００５】
したがって、本発明は、単一のビデオ入力ポートにアナログ・ビデオ信号又はシリアル・デジタル・ビデオ信号の何れが供給されても、アナログ・ビデオ入力経路及びデジタル・ビデオ入力経路を自動的に切替可能なビデオ測定機器、自動ビデオ切替方法及び処理装置を提供することである。
【０００６】
【課題を解決するための手段】
本発明のビデオ測定機器（１０）は、共通ビデオ入力ポート（１１）を、独立の出力端を有するアナログ・ビデオ入力経路（１３）の入力端と、独立の出力端を有するデジタル・ビデオ入力経路（１５）の入力端とに結合する手段と；デジタル・ビデオ入力経路から得た情報に応答して独立の出力端の間で自動的に切替を行って、共通ビデオ入力ポートに供給されたビデオ信号のビデオ・フォーマットに対応する出力ビデオ信号を供給する手段（２４、１４）とを具えている。
また、本発明は、ビデオ測定機器（１０）におけるアナログ・ビデオ入力経路（１３）及びデジタル・ビデオ入力経路（１５）の間で自動的に切替を行う方法であって；アナログ・ビデオ入力経路（１３）の入力端をビデオ入力ポート（１１）に結合し；デジタル・ビデオ入力経路（１５）の入力端をビデオ入力ポート（１１）に結合し；ビデオ・スイッチ（１４）の入力端をアナログ・ビデオ入力経路（１３）及びデジタル・ビデオ入力経路（１５）の出力端に夫々結合し；デジタル・ビデオ入力経路（１５）から得た情報に応じて、ビデオ・スイッチ（１４）用の選択信号を発生して、どのビデオ入力経路をビデオ・スイッチの出力端に結合するかを選択して、ビデオ測定機器により更に処理を行うことを特徴としている。
さらに、本発明は、測定機器（１０）の入力ポート（１１）に供給されたビデオ信号を処理する装置であって；入力ポート（１１）に結合された入力端と、出力端とを有し、アナログ・ビデオ入力経路（１３）を形成するアナログ・ビデオ・バッファ（１２）と；入力ポート（１１）に結合された入力端と、出力端とを有し、デジタル・ビデオ入力経路（１５）を形成するデジタル・ビデオ受信器（１６〜２２）と；アナログ・ビデオ入力経路（１３）及びデジタル・ビデオ入力経路（１５）の夫々の出力端に結合された入力端を有するビデオ・スイッチ（１４）と；デジタル・ビデオ受信器（１６〜２２）から情報を受ける入力端と、ビデオ・スイッチ（１４）の選択入力端に結合された出力端とを有し、この出力端に情報に応じて選択信号を発生して、ビデオ・スイッチ（１４）の出力端にどのビデオ入力経路の出力を供給するかを選択する判断モジュール（２４）とを具えている。
【０００７】
上述の如く、本発明の測定機器は、アナログ・ビデオ信号及びシリアル・デジタル・ビデオ信号（単に、デジタル・ビデオ信号ということもある）用に単一のビデオ入力ポートを有し、この測定機器内で、アナログ・ビデオ入力経路及びシリアル・デジタル・ビデオ入力経路の間で自動的にビデオ・スイッチを切り替える。アナログ・ビデオ入力経路の出力信号及びシリアル・デジタル・ビデオ入力経路の出力信号をビデオ・スイッチの入力に夫々入力する。このビデオ・スイッチの出力信号は、測定機器で更に処理（種々の測定）が行なわれる。シリアル・デジタル・ビデオ入力経路からの情報は、クロック再生ロック（拘束）情報、キャリア検出情報及び／又は標準情報を含んでもよく、判断モジュールに供給される。この判断モジュールは、ビデオ・スイッチ用の選択信号を発生する。一例として、「ロック」情報が存在すると、即ち、シリアル・デジタル・ビデオ入力経路内で、内部クロックの位相がシリアル・デジタル・ビデオ入力信号にロックされて、「ロック」情報が発生すると、ビデオ入力ポートの信号がシリアル・デジタル・ビデオ入力信号であると判断されて、ビデオ・スイッチの出力信号として、シリアル・デジタル・ビデオ入力経路からの出力信号を選択する。また、「ロック」情報がない場合は、アナログ・ビデオ入力経路からの出力信号が選択される。必要ならば、スイッチの選択を、自動ではなく、手動で行えるようにもできる。ビデオ・スイッチの出力信号に応じて、どのビデオ入力経路が測定機器により処理されるかという情報や、ビデオ入力ポートでのビデオ信号に関する情報をテキスト表示により指示してもよい。
【０００８】
本発明の目的、利点及び新規な特徴は、添付図を参照した以下の詳細説明から更に理解できよう。
【０００９】
【発明の実施の形態】
図１は、本発明によるビデオ測定機器１０の入力部分のブロック図である。アナログ・フォーマットか、シリアル・デジタル・フォーマットであるビデオ信号は、ビデオ測定機器１０の共通ビデオ入力ポート１１にて受信され、アナログ入力経路１３及びデジタル入力経路１５の両方に伝送される。アナログ・ビデオ入力経路１３は、アナログ・ビデオ・バッファ１２を具えてもよい。このアナログ・ビデオ・バッファ１２は、ビデオ信号を受け、これをアナログ・ビデオ信号としてビデオ・スイッチ１４に供給する。デジタル・ビデオ入力経路１５は、従来のデジタル・ビデオ受信器を具えている。このデジタル・ビデオ受信器は、デジタル・シリアル・ビデオ用自動等価器１６と、クロック再生及びデータ・スライス・モジュール１８と、直列／並列変換器２０と、コンポジット・エンコーダ２２とを直列に含んでもよい。また、このデジタル・ビデオ受信器（１６〜２２）は、入力ビデオ信号を処理し、その出力信号は、ビデオ・スイッチ１４の入力用のデジタル・ビデオ信号である。さらに、デジタル・ビデオ受信器の出力信号を、ビデオ・スイッチ１４に入力する前に、エンコーダ２２の一部であるデジタル・アナログ（Ｄ／Ａ）変換器によりアナログ信号に変換してもよい。または、この代わりに、アナログ・ビデオ・バッファ１２の出力信号をビデオ・スイッチ１４に供給する前に、アナログ・デジタル変換器によりデジタル信号に変換して、ビデオ・スイッチ１４の両方の入力信号が同じビデオ・フォーマットになるようにしてもよい。ビデオ入力経路１３及び１５の何れを他方のフォーマットに変換するかは、ビデオ・スイッチ１４の出力端における測定機器の処理ハードウェアにより決まる。
【００１０】
判断モジュール２４は、等価器１６からのキャリア検出信号、クロック再生モジュール１８からのクロック再生ロック信号、及び／又は変換器２０からのビデオ標準信号を受けてもよい。これら情報信号から、判断モジュール２４は、ビデオ信号がアナログか又はシリアル・デジタルかを自動的に判断し、選択信号をビデオ・スイッチ１４に供給する。ビデオ・スイッチ１４の出力信号は、判断モジュール２４により選択されたビデオ入力経路１３又は１５からのビデオ信号であり、この選択されたビデオ信号は、測定機器により更に処理（測定）される。また、ユーザが望むならば、ビデオ・スイッチ１４への別の入力信号は、手動スイッチ・オーバーライド（優先）制御信号であり、判断モジュール２４からの出力信号に優先する。
【００１１】
シリアル・デジタル・ビデオ受信器を構成するモジュール１６〜２２は、標準のシリアル・デジタル・ビデオ受信チップ・セット内に包含されてもよい。このチップ・セットは、上述した判断モジュール２４に情報信号を供給する。判断モジュール２４は、シリアル・デジタル・ビデオ信号がビデオ入力端に存在するか否かを判断する。シリアル・デジタル・ビデオ信号が存在すると、ビデオ・スイッチ１４は、シリアル・デジタル・ビデオ受信器からの出力信号を出力する。また、シリアル・デジタル・ビデオ信号が存在しない場合、ビデオ・スイッチ１４の出力信号は、アナログ・ビデオ・バッファ１２の出力信号である。一例として、シリアル・デジタル・ビデオ受信器チップ・セット内の位相ロック・ループ（ＰＬＬ）がビデオ・ロック（内部クロックの位相がデジタル・シリアル・ビデオ信号に拘束されたこと）を知らせると、変数「ロック」を「１」に設定し、そうでない場合には、変数「ロック」を「０」に設定する。例えば、以下にソフトウェアの記述で示すルーチンを用いて、ロックから外れた際のグリッチをろ波してもよい。
ｉｆ　（ｌｏｃｋ）
｛
ｉｆ　（ｃｏｕｎｔＳｄＶｉｄｅｏＬｏｃｋ＜　ＩＮＴＥＧＲＡＴＩＯＮ＿ＣＯＵＮＴ）
｛
ｃｏｕｎｔＳｄＶｉｄｅｏＬｏｃｋ＋＋；
ｉｆ　（ｃｏｕｎｔＳｄＶｉｄｅｏＬｏｃｋ＞＝　ＩＮＴＥＧＲＡＴＩＯＮ＿ＣＯＵＮＴ）
｛
ｄｅｔＳｄＶｉｄｅｏＳｔｄ　＝　ＳｄＳｔｄ＿Ｕｎｋｎｏｗｎ；
／／デジタル・ビデオがロックされるが、標準が未知／／
｝
｝
｝
ｅｌｓｅ
｛
ｉｆ　（ｃｏｕｎｔＳｄＶｉｄｅｏＬｏｃｋ＞　０）
ＣｏｕｎｔＳｄＶｉｄｅｏＬｏｃｋ　；
ｉｆ　（ｃｏｕｎｔＳｄＶｉｄｅｏＬｏｃｋ　＝＝　０）
ｄｅｔＳｄＶｉｄｅｏＳｔｄ　＝　ＳｄＳｔｄ＿Ｕｎｌｏｃｋｅｄ
／／　ｄｉｇｉｔａｌ　ｖｉｄｅｏ　ｉｓ　ｕｎｌｏｃｋｅｄ　／／
｝
スイッチ・オーバーライド信号が優先しない限り、変数ｄｅｔＳｄＶｉｄｅｏＳｔｄが定数Ｓｄｓｔｄ＿Ｕｎｌｏｃｋｅｄに等しいと、アナログ信号が選択される。そうでない場合に、デジタル信号が選択される。
【００１２】
ビデオ・スイッチ１４へのスイッチ・オーバーライド信号ＩＮＰＵＴ＿ＣＴＬには、３つの設定状態がある。これら設定状態は、ＡＵＴＯ（入力を自動的に検出する）、ＤＩＧＩＴＡＬ（入力を常にデジタルであると仮定する）、ＡＮＡＬＯＧ（入力を常にアナログであると仮定する）がある。ビデオ形式に関連した測定機器のスクリーン上のテキスト指示（表示）は、ＩＮＰＵＴ＿ＣＴＬ設定及びその他の条件により、次の表に示すように決まる。
【表１】
2004007573.tif 000003
【００１３】
上述の説明では、判断モジュール２４でロック信号のみを用いたが、キャリア検出信号を用いてもよい。キャリア検出信号は、単独でもよいし、ロック信号用のクオリファイア（区別用信号）であってもよい。この場合、判断は、以下の条件に基づいてもよい。すなわち、「キャリア検出が真（１）ならば、デジタルに進む」か、又は、「キャリア検出が真で、ロックも真ならば、デジタルに進む」。キャリア検出信号は、１００〜５００ＭＨｚの範囲で任意の大きな信号がたとえノイズであってもこれに応答するので、キャリア検出信号は、ロック信号よりも識別が困難である。ロック信号のみに基づいた判断よりも識別が容易なものは、ビデオ標準信号を用いた場合である。ビデオ標準信号が、認識された信号であるか、及び／又は測定機器で用いる信号ならば、この信号を用いて、ロック信号を区別して、ビデオ入力端のビデオ信号がデジタルかアナログであるかの判断を行う。
【００１４】
【発明の効果】
上述のように、本発明のビデオ測定機器は、アナログ・ビデオ入力経路及びデジタル・ビデオ入力経路の両方の入力端に単一のビデオ入力ポートが結合され、これらビデオ入力経路の各々の出力端がビデオ・スイッチの入力端に結合されている。また、判断モジュールは、デジタル・ビデオ入力経路からの情報を受けて、ビデオ入力ポートのビデオ信号がアナログかデジタルかを判断する。かかる情報により自動的に、また、スイッチ・オーバーライド制御信号により、アナログ・ビデオ入力経路及びデジタル・ビデオ入力経路の一方からのビデオ信号がビデオ・スイッチの出力端に切り替えられる。よって、単一のビデオ入力ポートにより、アナログ・ビデオ信号及びデジタル・ビデオ信号の両方を扱える。
【図面の簡単な説明】
【図１】本発明によるビデオ測定機器の入力部分のブロック図である。
【符号の説明】
１０　ビデオ測定機器
１１　共通ビデオ入力ポート
１２　アナログ・ビデオ・バッファ
１３　アナログ・ビデオ入力経路
１４　ビデオ・スイッチ
１５　デジタル・ビデオ入力経路
１６　デジタル・シリアル・ビデオ用自動等価器（デジタル・ビデオ受信器の一部）
１８　クロック再生モジュール（デジタル・ビデオ受信器の一部）
２０　直列／並列変換器（デジタル・ビデオ受信器の一部）
２２　エンコーダ（デジタル・ビデオ受信器の一部）
【図１】
2004007573.tif 000004